【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】情報処理装置および方法、再生装置および方法、並びに記録媒体
【手続補正２】
【補正対象書類名】明細書
【補正対象項目名】特許請求の範囲
【補正方法】変更
【補正の内容】
【特許請求の範囲】
【請求項１】  第１のコンテンツを構成する単位データを記憶する第１の記憶手段と、
前記第１のコンテンツを構成する前記単位データのそれぞれのデコード時刻および前記第１のコンテンツにおける配置位置を記憶する第２の記憶手段と、
前記第１のコンテンツを構成する前記単位データから選択された第２のコンテンツを構成する単位データからなるエレメントの所定の単位データのデコード時刻を記憶する第３の記憶手段と、
前記第２のコンテンツを構成する前記単位データからなる前記エレメントの再生順序を記憶する第４の記憶手段と
を備えることを特徴とする情報処理装置。
【請求項２】  前記第４の記録手段に記憶されている前記再生順序で、前記第３の記憶手段に記憶されている前記エレメントの前記所定の単位データのデコード時刻に対応する単位データを、前記第２の記憶手段に記憶されている前記デコード時刻および前記配置位置に基づいて、前記第１の記憶手段から読み出し、再生する再生手段
をさらに備えることを特徴とする請求項１に記載の情報処理装置。
【請求項３】  前記第２のコンテンツを構成する前記単位データから選択された第３のコンテンツを構成する単位データからなるエレメントの長さおよび前記エレメントの前記所定の単位データの、前記第２のコンテンツにおける配置位置を検出し、記憶する第５の記憶手段と
をさらに備えることを特徴とする請求項１に記載の情報処理装置。
【請求項４】  前記第４の記録手段に記憶されている前記再生順序で、前記第３の記憶手段に記憶されている前記エレメントの前記所定の単位データのデコード時刻に対応する単位データを、前記第２の記憶手段に記憶されている前記デコード時刻および前記配置位置に基づいて、前記第１の記憶手段から読み出した前記AVデータの中から、前記第５の記録手段に記憶されている前記エレメントの長さおよび前記配置位置に対応する前記単位データを抽出し、再生する再生手段
をさらに備えることを特徴とする請求項３に記載の情報処理装置。
【請求項５】  第１のコンテンツを構成する単位データを記憶する第１の記憶ステップと、
前記第１のコンテンツを構成する前記単位データのそれぞれのデコード時刻および前記第１のコンテンツにおける配置位置を記憶する第２の記憶ステップと、
前記第１のコンテンツを構成する前記単位データから選択された第２のコンテンツを構成する単位データからなるエレメントの所定の単位データのデコード時刻を記憶する第３の記憶ステップと、
前記第２のコンテンツを構成する前記単位データからなる前記エレメントの再生順序を記憶する第４の記憶ステップと
を含むことを特徴とする情報処理方法。
【請求項６】  第１のコンテンツを構成する単位データを入力する第１の入力ステップと、
前記第１のコンテンツを構成する前記単位データのそれぞれのデコード時刻および前記第１のコンテンツにおける配置位置を入力する第２の入力ステップと、
前記第１のコンテンツを構成する前記単位データから選択された第２のコンテンツを構成する単位データからなるエレメントの所定の単位データのデコード時刻を入力する第３の入力ステップと、
前記第２のコンテンツを構成する前記単位データからなる前記エレメントの再生順序を入力する第４の入力ステップと
を含むことを特徴とする処理をコンピュータに実行させるプログラムが記録されている記録媒体。
【請求項７】  特徴点情報を有するコンテンツデータを編集する情報処理装置において、
前記コンテンツデータの一部が部分コンテンツデータとして選択された場合、該部分コンテンツデータに対応する前記特徴点情報及び前記コンテンツデータの識別情報に基づいて、前記部分コンテンツデータの前記部分コンテンツデータが前記コンテンツデータから構成されていることを示す情報と、前記コンテンツデータにおける再生開始位置及び再生終了位置を示す情報とを有する再生管理情報を作成する再生管理情報作成手段
を備えることを特徴とする情報処理装置。
【請求項８】  前記特徴点情報は、前記コンテンツデータのデコード可能な単位毎の先頭を示すデータを有しており、
前記再生管理情報は、前記コンテンツデータの先頭からのオフセット情報と前記部分コンテンツデータのデータ長を示す情報を有している
ことを特徴とする請求項７に記載の情報処理装置。
【請求項９】  特徴点情報を有するコンテンツデータを編集する情報処理方法において、
前記コンテンツデータの一部が部分コンテンツデータとして選択された場合、該部分コンテンツデータに対応する前記特徴点情報及び前記コンテンツデータの識別情報に基づいて、前記部分コンテンツデータの前記部分コンテンツデータが前記コンテンツデータから構成されていることを示す情報と、前記コンテンツデータにおける再生開始位置及び再生終了位置を示す情報とを有する再生管理情報を作成する再生管理情報作成ステップ
を含むことを特徴とする情報処理方法。
【請求項１０】  第１のコンテンツデータを構成している複数の部分コンテンツデータからなる第２のコンテンツデータを再生する再生装置において、
前記第２のコンテンツデータを、前記複数の部分コンテンツデータの再生順序と、前記第１のコンテンツデータにおける再生開始位置情報及び再生終了位置情報とに基づいて再生する再生制御手段
を備えることを特徴とする再生装置。
【請求項１１】  第１のコンテンツデータを構成している複数の部分コンテンツデータからなる第２のコンテンツデータを再生する再生方法において、
前記第２のコンテンツデータを、前記複数の部分コンテンツデータの再生順序と、前記第１のコンテンツデータにおける再生開始位置情報及び再生終了位置情報とに基づいて再生する再生制御ステップ
を含むことを特徴とする再生方法。
【手続補正３】
【補正対象書類名】明細書
【補正対象項目名】０００１
【補正方法】変更
【補正の内容】
【０００１】
【発明の属する技術分野】
本発明は、情報処理装置および方法、再生装置および方法、並びに記録媒体に関し、特に、特徴点データを新たに生成せずにコンテンツを編集することができるようにした情報処理装置および方法、再生装置および方法、並びに記録媒体に関する。
【手続補正４】
【補正対象書類名】明細書
【補正対象項目名】００１１
【補正方法】変更
【補正の内容】
【００１１】
請求項１に記載の情報処理装置、請求項５に記載の情報処理方法、および請求項６に記載の記録媒体のプログラムにおいては、第１のコンテンツを構成する単位データが入力され、第１のコンテンツを構成する単位データのそれぞれのデコード時刻および第１のコンテンツにおける配置位置が入力され、第１のコンテンツを構成する単位データから選択された第２のコンテンツを構成する単位データからなるエレメントの所定の単位データのデコード時刻が入力され、第２のコンテンツを構成する単位データからなるエレメントの再生順序が入力される。
請求項７に記載の情報処理装置は、コンテンツデータの一部が部分コンテンツデータとして選択された場合、該部分コンテンツデータに対応する特徴点情報及びコンテンツデータの識別情報に基づいて、部分コンテンツデータの部分コンテンツデータがコンテンツデータから構成されていることを示す情報と、コンテンツデータにおける再生開始位置及び再生終了位置を示す情報とを有する再生管理情報を作成する再生管理情報作成手段を備えることを特徴とする。
特徴点情報は、コンテンツデータのデコード可能な単位毎の先頭を示すデータを有しており、再生管理情報は、コンテンツデータの先頭からのオフセット情報と部分コンテンツデータのデータ長を示す情報を有しているようにすることができる。
請求項９に記載の情報処理方法は、コンテンツデータの一部が部分コンテンツデータとして選択された場合、該部分コンテンツデータに対応する特徴点情報及びコンテンツデータの識別情報に基づいて、部分コンテンツデータの部分コンテンツデータがコンテンツデータから構成されていることを示す情報と、コンテンツデータにおける再生開始位置及び再生終了位置を示す情報とを有する再生管理情報を作成する再生管理情報作成ステップを含むことを特徴とする。
請求項７に記載の情報処理装置および請求項９に記載の情報処理方法においては、コンテンツデータの一部が部分コンテンツデータとして選択された場合、該部分コンテンツデータに対応する特徴点情報及びコンテンツデータの識別情報に基づいて、部分コンテンツデータの部分コンテンツデータがコンテンツデータから構成されていることを示す情報と、コンテンツデータにおける再生開始位置及び再生終了位置を示す情報とを有する再生管理情報が作成される。
請求項１０に記載の再生装置は、第２のコンテンツデータを、複数の部分コンテンツデータの再生順序と、第１のコンテンツデータにおける再生開始位置情報及び再生終了位置情報とに基づいて再生する再生制御手段を備えることを特徴とする。
請求項１１に記載の再生方法は、第２のコンテンツデータを、複数の部分コンテンツデータの再生順序と、第１のコンテンツデータにおける再生開始位置情報及び再生終了位置情報とに基づいて再生する再生制御ステップを含むことを特徴とする。
請求項１０に記載の再生装置および請求項１１に記載の再生方法においては、第２のコンテンツデータが、複数の部分コンテンツデータの再生順序と、第１のコンテンツデータにおける再生開始位置情報及び再生終了位置情報とに基づいて再生される。
【手続補正５】
【補正対象書類名】明細書
【補正対象項目名】００５９
【補正方法】変更
【補正の内容】
【００５９】
【発明の効果】
請求項１に記載の情報処理装置、請求項５に記載の情報処理方法、および請求項６に記載の記録媒体のプログラムによれば、第２のコンテンツを迅速に生成することができ、かつ、記録媒体の記録容量を節約することができる。
請求項７に記載の情報処理装置および請求項９に記載の情報処理方法によれば、コンテンツデータの一部の部分コンテンツを適切に再生するための再生管理情報を生成することができる。
請求項１０に記載の再生装置および請求項１１に記載の再生方法によれば、第２のコンテンツデータを適切に再生することができる。